(57)【要約】【課題】止血を行っている最中に患者の手の動き等が生じた場合であっても、押圧部材の止血すべき部位に対する位置ずれを抑制可能な止血器具を提供する。【解決手段】止血器具１０は、手Ｈの穿刺部位ｔに配置される被覆部２０と、被覆部２０の内側に配置される押圧部３０と、を有している。押圧部は、穿刺部位を押圧する押圧部材４０と、被覆部と押圧部材との間に位置する支持部材５０と、を有している。押圧部材は、手の外表面に形成される凸部ｇ１に配置可能な凹部４４を有している。押圧部材は、押圧部材が穿刺部位を押圧している状態で、支持部材と接続しつつ、支持部材に対して相対的に移動可能である。【選択図】図１Ａ
2020022679.tif 000002
【特許請求の範囲】
【請求項１】
手の止血すべき部位に配置される被覆部と、
前記被覆部の内側に配置される押圧部と、を有し、
前記押圧部は、前記止血すべき部位を押圧する押圧部材と、前記被覆部と前記押圧部材との間に位置する支持部材と、を有し、
前記押圧部材は、手の外表面に形成される凸部に配置可能な凹部を有し、
前記押圧部材は、前記押圧部材が前記止血すべき部位を押圧している状態で、前記支持部材と接続しつつ、前記支持部材に対して相対的に移動可能である、止血器具。
【請求項２】
前記凹部は、前記押圧部材の移動方向と交差する方向に沿って形成されている、請求項１に記載の止血器具。
【請求項３】
前記押圧部は、前記手の指を挿入可能な貫通部を備えるとともに前記手の体表を押圧する他の押圧部材をさらに有し、
前記支持部材及び前記押圧部材は、前記貫通部に位置し、
前記他の押圧部材は、前記被覆部の内側に位置するとともに、流体の流入及び流出によって拡張及び収縮が可能である、請求項１または請求項２に記載の止血器具。
【請求項４】
前記押圧部材は、流体の流入及び流出によって拡張及び収縮が可能であり、
前記支持部材は、前記押圧部材が前記支持部材に対して相対的に移動可能な第１形態と、前記押圧部材が前記支持部材に対して相対的に移動できない第２形態とを有し、
前記支持部材は、前記押圧部材が拡張した際、前記第２形態から前記第１形態に移行する、請求項１〜３のいずれか一項に記載の止血器具。
【請求項５】
前記支持部材は、前記押圧部材に連結される連結部材と、前記連結部材の一部が移動可能な収納空間と、を有し、
前記支持部材の前記第２形態は、前記支持部材の前記第１形態と比較して前記収納空間が屈曲する屈曲部を有し、
前記連結部材の一部は、前記支持部材の前記第２形態において、前記屈曲部に配置される、請求項４に記載の止血器具。
【請求項６】
前記連結部材は、前記収納空間において移動可能な第１移動部材と、前記第１移動部材から離間するとともに前記収納空間において移動可能な第２移動部材と、前記第１移動部材及び前記第２移動部材と前記押圧部材とを接続する接続部材と、を有し、
前記第１移動部材及び前記第２移動部材は、前記支持部材の前記第２形態において、前記屈曲部を挟み込むように配置される、請求項５に記載の止血器具。
【請求項７】
前記押圧部は、前記凹部の位置を示すマーカー部をさらに有し、
前記被覆部及び前記押圧部は、平面視において少なくとも前記マーカー部と重なる領域およびその周辺において透過性を有する、請求項５または請求項６に記載の止血器具。
【請求項８】
前記凹部は、平面視において前記押圧部材の中央から離間した位置に形成されている、請求項１〜７のいずれか一項に記載の止血器具。
【発明の詳細な説明】
【技術分野】
【０００１】
本発明は、止血器具に関する。
【背景技術】
【０００２】
カテーテル手技の１つとして、患者の腕の血管（例えば、橈骨動脈）を穿刺し、患者の腕の血管に形成した穿刺部位を介して各種の医療用長尺体を血管内に導入し、病変部位に対する処置や治療を行う手技が知られている（下記特許文献１を参照）。例えば、橈骨動脈を利用するカテーテル手技は、経橈骨動脈アプローチと呼ばれている。
【０００３】
人体の腕を走行する橈骨動脈は、手側を迂回する手掌動脈と繋がっている。そのため、現在、経橈骨動脈アプローチの新しい手法として、手に位置する手掌動脈（遠位橈骨動脈を含む）を穿刺し、その穿刺部位を介して治療を行うｄＴＲＡ（ｄｉｓｔａｌ  ｔｒａｎｓｒａｄｉａｌ  ａｐｐｒｏａｃｈ）によるカテーテル手技が試みられている。
【先行技術文献】
【特許文献】
【０００４】
【特許文献１】特開２００８−１１９５１７号公報
【発明の概要】
【発明が解決しようとする課題】
【０００５】
手に位置する手掌動脈等の血管は、指等の可動部位が多い箇所に位置する。そのため、カテーテル手技後に術者が手に位置する血管の穿刺部位を止血する際、患者が手を広げたり、手を握ったりすると、手の形状が変化し、既存の腕用や脚用の止血器具では、穿刺部位に対して圧迫力を付与する押圧部材（拡張部材等）が穿刺部位から位置ずれする場合がある。押圧部材（拡張部材等）が穿刺部位から位置ずれした場合、穿刺部位への圧迫を適切に維持することが難しい。
【０００６】
本発明は、上記のような課題を鑑み、手の動き等が生じた場合であっても、穿刺部位への圧迫を適切に維持できる止血器具を提供することを目的とする。
【課題を解決するための手段】
【０００７】
本発明に係る止血器具は、手の止血すべき部位に配置される被覆部と、前記被覆部の内側に配置される押圧部と、を有し、前記押圧部は、前記止血すべき部位を押圧する押圧部材と、前記被覆部と前記押圧部材との間に位置する支持部材と、を有し、前記押圧部材は、手の外表面に形成される凸部に配置可能な凹部を有し、前記押圧部材は、前記押圧部材が前記止血すべき部位を押圧している状態で、前記支持部材と接続しつつ、前記支持部材に対して相対的に移動可能である。
【発明の効果】
【０００８】
本発明に係る止血器具によれば、押圧部材は、押圧部材の凹部が手の外表面に形成される凸部に配置された状態で、手の止血すべき部位を押圧する。また、本発明に係る止血器具によれば、押圧部材の動きは、押圧部材が支持部材に対して相対的に移動可能であるため、支持部材及び被覆部に伝達しにくい。このため、本発明の止血器具は、仮に手の動き等が生じても、手の外表面に形成された凸部の動きに合わせて押圧部材のみが動く。そのため、本発明に係る止血器具は、止血を行っている最中に患者の手の動き等が生じた場合であっても、押圧部材の止血すべき部位に対する位置ずれを抑制できる。したがって、本発明に係る止血器具は、手の動き等が生じた場合であっても、穿刺部位への圧迫を適切に維持できる。
【図面の簡単な説明】
【０００９】
【図１Ａ】本発明の実施形態に係る止血器具を、手の甲を覆う側から見た場合の斜視図である。
【図１Ｂ】本発明の実施形態に係る止血器具を、掌を覆う側から見た場合の斜視図である。
【図２Ａ】本発明の実施形態に係る止血器具の押圧部が備える第１押圧部材及び支持部材を示す斜視図である。
【図２Ｂ】本発明の実施形態に係る止血器具の押圧部が備える第１押圧部材及び支持部材を示す平面図である。
【図２Ｃ】図２Ａの破線２Ｃで囲まれた領域の拡大断面図である。
【図３】本発明の実施形態に係る止血器具の押圧部が備える第２押圧部材を示す斜視図である。
【図４】本発明の実施形態に係る止血器具の使用例の説明に供する図であって、患者の手の血管に医療用長尺体が挿入された状態を示す平面図である。
【図５】図４の状態から患者の手に止血器具を装着している状態を示す平面図である。
【図６】図５の状態から患者の手に止血器具を装着した状態を示す平面図である。
【図７】図６の状態から医療用長尺体を抜去し、止血器具によって止血を行っている状態を示す平面図である。
【図８Ａ】図６の８Ａ−８Ａ線に沿う断面図である。
【図８Ｂ】図７の８Ｂ−８Ｂ線に沿う断面図である。
【発明を実施するための形態】
【００１０】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
図１Ａ〜図８Ｂは、本発明の実施形態に係る止血器具１０の説明に供する図である。なお、図８Ａでは、医療用長尺体Ｓを省略して示している。
【００１２】
止血器具１０は、例えば、図４に示すように、患者の前腕部Ａよりも手指側に位置する手Ｈの甲Ｈｂ側を走行する手掌動脈（深掌動脈）の橈骨動脈側（例えば、スナッフボックス周辺の動脈又はスナッフボックスよりも指先側を走行する遠位橈骨動脈）に形成された穿刺部位ｔ（止血すべき部位に相当）に留置していた医療用長尺体Ｓ（例えば、イントロデューサーのシースチューブ）を抜去する際、その穿刺部位ｔを止血するために使用することができる。
【００１３】
止血器具１０は、図１Ａ及び図１Ｂを参照して概説すると、手Ｈの穿刺部位ｔに配置される被覆部２０と、被覆部２０の内側（体表に臨む側）に配置されるとともに穿刺部位ｔを押圧する押圧部３０と、を有している。以下、止血器具１０の各部について詳述する。
【００１４】
［被覆部］
図６に示すように、被覆部２０は、患者の手Ｈを包むように配置される袋体２１で形成している。
【００１５】
なお、以下の説明では、被覆部２０において、止血器具１０を患者の手Ｈに装着した際に各指ｆ１〜ｆ５（親指ｆ１、人差し指ｆ２、中指ｆ３、薬指ｆ４、及び、小指ｆ５）の指先側に位置する側を先端側と称し、被覆部２０において、止血器具１０を患者の手Ｈに装着した際に前腕部Ａ側（手首側）に位置する側を基端側と称する。
【００１６】
図１Ａに示すように、袋体２１は、患者の手Ｈを挿入可能な内部空間２２と、親指ｆ１を突出可能な第１開口部２３ａと、人差し指ｆ２を突出可能な第２開口部２３ｂと、中指ｆ３を突出可能な第３開口部２３ｃと、薬指ｆ４を突出可能な第４開口部２３ｄと、小指ｆ５を突出可能な第５開口部２３ｅと、患者の手Ｈを袋体２１に挿入する際、手Ｈを通すための第６開口部２４と、を有している。
【００１７】
図１Ａに示すように、第１開口部２３ａ〜第５開口部２３ｅは、袋体２１の先端側に形成されている。第６開口部２４は、袋体２１の基端側に形成されている。
【００１８】
図６に示すように、止血器具１０が手Ｈに装着された状態で、第１開口部２３ａは、袋体２１が手Ｈの穿刺部位ｔを覆いつつ、親指ｆ１の指先から付け根まで露出するように開口している。そのため、使用者は、袋体２１に手Ｈを挿入する際に、第１開口部２３ａから親指ｆ１を容易に突出させることができる。特に、手Ｈの親指ｆ１の付け根の周辺に医療用長尺体Ｓが配置されている状態で手Ｈを袋体２１に挿入する場合、使用者は、第１開口部２３ａから親指ｆ１及び医療用長尺体Ｓの両方を容易に突出させることができる。また、使用者は、手Ｈに止血器具１０が装着された状態で、医療用長尺体Ｓを容易に抜去できる。
【００１９】
図１Ａに示すように、袋体２１は、手Ｈの甲Ｈｂを覆う側において、第６開口部２４に連なるとともに、第６開口部２４から先端側（第３開口部２３ｃ及び第４開口部２３ｄ）に向かって形成されたスリット２５を有している。そのため、図５に示すように、使用者は、袋体２１に手Ｈを挿入する際に、スリット２５を広げることによって、第６開口部２４から手Ｈを袋体２１に容易に挿入できる。特に、手Ｈに医療用長尺体Ｓが配置されている状態で手Ｈを袋体２１に挿入する場合、使用者は、第６開口部２４から手Ｈ及び医療用長尺体Ｓの両方を袋体２１に容易に挿入できる。
【００２０】
図５に示すように、袋体２１は、スリット２５によって形成された袋体２１の端部２１ａ、２１ｂ同士を連結可能な連結部２６を有している。
【００２１】
連結部２６は、本実施形態では、スリット２５によって形成された袋体２１の一の端部２１ａに配置される第１部材２６ａと、スリット２５によって形成された袋体２１の他の端部２１ｂに配置される第２部材２６ｂと、を有している。
【００２２】
第１部材２６ａは、本実施形態では、面ファスナーの雄側（または雌側）によって構成している。第２部材２６ｂは、本実施形態では、面ファスナーの雌側（または雄側）によって構成している。第１部材２６ａは、袋体２１の外側（体表に臨む側の反対側）に配置されている。第２部材２６ｂは、袋体２１の内側に配置されている。袋体２１に手Ｈが挿入された状態で、第１部材２６ａと第２部材２６ｂとが連結されることにより、図６に示すように、止血器具１０が手Ｈに装着される。
【００２３】
なお、第１部材２６ａが袋体２１の内側に配置され、第２部材２６ｂが袋体２１の外側に配置されていてもよい。また、連結部２６は、面ファスナーに限らず、例えば、スナップ、ボタン、クリップ、又は、磁石等によって構成してもよい。
【００２４】
袋体２１は、例えば、ポリ塩化ビニル、ポリエチレン、ポリプロピレン等のポリオレフィン、ポリエチレンテレフタレート（ＰＥＴ）、ポリブチレンテレフタレート（ＰＢＴ）等のポリエステル、シリコーン、ウレタン、等の樹脂材料によって形成してもよい。また、袋体２１は、例えば、上記樹脂材料から化学繊維を作製し、その化学繊維を編み込むことによって形成されてもよい。また、袋体２１は、木綿綿、絹綿、羊毛綿等の天然繊維を編み込むことによって形成されてもよい。
【００２５】
なお、被覆部の構成は上記に限定されない。例えば、被覆部の袋体は、本実施形態のように親指ｆ１以外の指ｆ２〜ｆ５を個別に突出させる複数の開口部２３ｂ〜２３ｅを有するのではなく、親指ｆ１以外の指ｆ２〜ｆ５をまとめて突出させる単一の開口部を有していてもよい。また、例えば、被覆部の袋体は、親指ｆ１以外の指ｆ２〜ｆ５を指先まで覆ってもよい。
【００２６】
［押圧部］
図１Ｂに示すように、押圧部３０は、穿刺部位ｔを押圧する第１押圧部材４０（押圧部材に相当）と、被覆部２０と第１押圧部材４０との間に位置する支持部材５０と、親指ｆ１を挿入可能な貫通部６１を備えるとともに手Ｈの体表を押圧する第２押圧部材６０（他の押圧部材に相当）と、第１押圧部材４０に接続される第１注入部材４２及び第２押圧部材６０に接続される第２注入部材６３と、を有している。以下、押圧部３０の各部について説明する。
【００２７】
（第１押圧部材）
図２Ａに示すように、第１押圧部材４０は、空気等の流体の流入及び流出によって拡張及び収縮が可能な第１拡張部材４１と、第１拡張部材４１を穿刺部位ｔに位置合わせするためのマーカー部４３と、を有している。以下、第１押圧部材４０の各部について説明する。
【００２８】
まず、第１拡張部材４１について説明する。
【００２９】
図８Ａ及び図８Ｂに示すように、第１拡張部材４１は、流体が流入する内部空間４１ａを有している。図８Ｂに示すように、第１拡張部材４１は、止血器具１０が患者の手Ｈに装着され、かつ、第１拡張部材４１が拡張した拡張状態で、穿刺部位ｔを押圧する。
【００３０】
図２Ａに示すように、第１拡張部材４１は、拡張状態で、角部が丸みを帯びた略直方体状の外形形状を有している。ただし、第１拡張部材４１の外形形状は特に限定されない。
【００３１】
図２Ａ及び図８Ｂに示すように、第１拡張部材４１は、拡張状態で、手Ｈの外表面に形成される凸部ｇ１に配置可能な凹部４４を有している。なお、本実施形態では、図４に示すように、凸部ｇ１が、スナッフボックス周辺の長母指伸筋の腱及びその周辺組織である例を説明する。図８Ｂに示すように、第１拡張部材４１は、第１拡張部材４１が穿刺部位ｔを押圧している状態で、支持部材５０と接続しつつ、支持部材５０に対して相対的に移動可能である。そのため、仮に手Ｈの動き等が生じても、手Ｈの外表面に形成された凸部ｇ１の動きに合わせて第１押圧部材４０のみが動く。したがって、止血器具１０は、止血を行っている最中に患者の手Ｈの動き等が生じた場合であっても、第１押圧部材４０の穿刺部位ｔに対する位置ずれを抑制できる。そのため、止血器具１０は、手の動き等が生じた場合であっても、穿刺部位ｔへの圧迫を適切に維持できる。
【００３２】
図２Ａ及び図８Ｂに示すように、凹部４４は、止血器具１０を手Ｈに装着した状態で、第１拡張部材４１において手Ｈに臨む側に形成されている。図２Ａ及び図２Ｂに示すように、凹部４４は、第１拡張部材４１の移動方向ｄ１と交差する方向ｄ２に沿って形成されている。そのため、第１押圧部材４０は、腱等の一の方向に沿って延在する凸部ｇ１に凹部４４が配置された状態を好適に維持し、患者が指を左右に動かしたり、又は、患者が手Ｈを広げたり閉じたりすることによって凸部ｇ１が凸部ｇ１の延在方向と交差する方向に可動するのに追従して移動できる。
【００３３】
図２Ｂに示すように、凹部４４は、平面視において第１拡張部材４１の中央Ｐから移動方向ｄ１に離間した位置に形成されている。なお、本明細書で「平面視」とは、止血器具１０を手Ｈに装着した際に、止血器具１０の外面側（体表に臨む側の反対側）から、止血器具１０の内面側（体表に臨む側）を見ることを意味する。すなわち、第１拡張部材４１は、平面視において、凹部４４が配置された第１領域Ａ１と、第１領域Ａ１を挟み込む第２領域Ａ２及び第３領域Ａ３と、を有し、第２領域Ａ２の移動方向ｄ１に沿う寸法Ｌ２は、第３領域の移動方向ｄ１に沿う寸法Ｌ３よりも長い（Ｌ２＞Ｌ３）。これによって、図８Ｂに示すように、第１拡張部材４１は、凹部４４が手Ｈの外表面に形成される凸部ｇ１に配置された状態（引っかかった状態）を維持しつつ、第１拡張部材４１の第２領域Ａ２によって、凸部ｇ１から離間する穿刺部位ｔを十分に押圧することができる。ただし、凹部は、平面視において、第１拡張部材４１の中央Ｐに形成されていてもよい。
【００３４】
また、第２領域Ａ２の移動方向ｄ１に沿う寸法Ｌ２（図２Ｂ参照）は、図８Ｂに示すように、本実施形態では、第２領域Ａ２が穿刺部位ｔを覆いつつ、第２領域Ａ２が一の凸部ｇ１と他の凸部ｇ２（短母指伸筋の腱及びその周辺組織）との間（スナッフボックス）に配置可能な程度の寸法に設定している。そのため、第１拡張部材４１の第２領域Ａ２は、穿刺部位ｔを十分に押圧できる。
【００３５】
第１拡張部材４１は、可撓性を有する材料である限り特に限定されないが、例えば、ポリ塩化ビニル、ポリエチレン、ポリプロピレン、ポリブタジエン、エチレン−酢酸ビニル共重合体（ＥＶＡ）のようなポリオレフィン、ポリエチレンテレフタレート（ＰＥＴ）、ポリブチレンテレフタレート（ＰＢＴ）のようなポリエステル、ポリ塩化ビニリデン、シリコーン、ポリウレタン、ポリアミドエラストマー、ポリウレタンエラストマー、ポリエステルエラストマー等の各種熱可塑性エラストマー、あるいはこれらを任意に組み合わせたもの（ブレンド樹脂、ポリマーアロイ、積層体等）等によって形成できる。
【００３６】
次に、マーカー部４３について説明する。
【００３７】
図８Ａ及び図８Ｂに示すように、マーカー部４３は、第１拡張部材４１において内部空間４１ａに臨む面に配置されている。また、図２Ｂに示すように、マーカー部４３は、平面視において、第２領域Ａ２の略中央に配置されている。ただし、第１拡張部材４１においてマーカー部４３を配置する位置は、上記に限定されない。例えば、マーカー部４３は、第１拡張部材４１において体表と接触する面に配置されていてもよい。
【００３８】
被覆部２０及び押圧部３０は、後述するように支持部材５０が第２形態にある状態で、平面視において少なくともマーカー部４３と重なる領域及びその周辺において、透過性を有している。ここで、「透過性」とは、光を透過することにより、物体を隔てた内面側を外面側から視認が可能であることを意味する。すなわち、被覆部２０及び押圧部３０は、支持部材５０が第２形態にある状態で、平面視において少なくともマーカー部４３と重なる領域及びその周辺が、透明、半透明または有色透明である。そのため、使用者は、穿刺部位ｔ及びマーカー部４３を視認でき、マーカー部４３を穿刺部位ｔに容易に位置合わせすることができる。
【００３９】
図２Ｂに示すように、マーカー部４３は、透明な中心部と、その中心部を囲む有色の線状の枠部と、から構成されることが好ましい。これにより、使用者は、マーカー部４３の透明な中心部を介して穿刺部位ｔを確認しつつ、穿刺部位ｔにマーカー部４３を配置することができる。そのため、術者は、マーカー部４３を利用し、穿刺部位ｔに第１拡張部材４１を簡便に位置合わせすることができる。なお、マーカー部４３は、使用者が穿刺部位ｔに第１拡張部材４１を位置合わせするために利用できる構成であれば、特に限定されない。例えば、マーカー部は、枠部を有さず、有色な中心部のみで形成されていてもよい。
【００４０】
マーカー部４３の形状は、特に限定されず、例えば、円、三角形、四角形等が挙げられ、本実施形態では、四角形をなしている。
【００４１】
マーカー部４３の材質は、特に限定されず、例えば、インキ等の油性着色料、色素を混練した樹脂等が挙げられる。
【００４２】
マーカー部４３の色は、第１拡張部材４１を穿刺部位ｔに位置合わせすることができる色であれば特に限定されないが、緑色系が好ましい。緑色系にすることにより、使用者は、マーカー部４３を血液や皮膚上で容易に視認することができるため、第１拡張部材４１を穿刺部位ｔに位置合わせすることがより容易となる。
【００４３】
第１拡張部材４１にマーカー部４３を設ける方法は特に限定されないが、例えばマーカー部４３を第１拡張部材４１に印刷する方法、マーカー部４３を第１拡張部材４１に融着する方法、マーカー部４３の片面に接着剤を塗布して第１拡張部材４１に貼り付ける方法等が挙げられる。
【００４４】
（支持部材）
図２Ａに示すように、支持部材５０は、第１押圧部材４０に連結される連結部材５１と、連結部材５１の一部が移動可能な収納空間５２と、収納空間５２を形成する収納部材５３と、を有している。以下、支持部材５０の各部について詳述する。
【００４５】
まず、連結部材５１について説明する。
【００４６】
連結部材５１は、本実施形態では、収納空間５２において移動可能な第１移動部材５４と、第１移動部材５４から離間するとともに収納空間５２において移動可能な第２移動部材５５と、第１移動部材５４及び第２移動部材５５と第１押圧部材４０とを接続する接続部材５６と、を有する。
【００４７】
第１移動部材５４及び第２移動部材５５は、本実施形態では、球体によって構成している。そのため、第１移動部材５４及び第２移動部材５５は、収納部材５３との接触面積を抑制することができ、収納空間５２において容易に移動できる。ただし、第１移動部材５４及び第２移動部材５５は、円柱等によって構成してもよい。
【００４８】
接続部材５６は、本実施形態では、線状要素によって構成している。接続部材５６は、第１移動部材５４と第２移動部材５５とを接続しつつ、第１拡張部材４１に固定されている。
【００４９】
接続部材５６は、第１移動部材５４及び第２移動部材５５が接続部材５６に対して回転できるように、第１移動部材５４及び第２移動部材５５に接続されている。そのため、第１移動部材５４及び第２移動部材５５は、収納空間５２において回転しながら移動できる。転がり摩擦力は滑り摩擦力よりも小さいため、第１移動部材５４及び第２移動部材５５が収納部材５３に対して摺動する（滑る）場合と比較すると、第１移動部材５４及び第２移動部材５５は、収納部材５３との間の摩擦力を低減することができる。そのため、第１移動部材５４及び第２移動部材５５は、収納空間５２において容易に移動できる。ただし、第１移動部材５４及び第２移動部材５５は、収納部材５３に対して摺動してもよい。
【００５０】
図２Ｂに示すように、接続部材５６は、平面視において連結部材５１が凹部４４（第１押圧部材４０の第１領域Ａ１）と重なる位置において、第１拡張部材４１に固定されている。また、連結部材５１の移動方向ｄ１に沿う寸法は、凹部４４の移動方向ｄ１に沿う寸法Ｌ１と一致する。また、連結部材５１は、有色である。そのため、連結部材５１は、凹部４４の位置を示すマーカー部として機能できる。
【００５１】
また、被覆部２０及び押圧部３０は、後述するように支持部材５０が第２形態にある状態で平面視において少なくとも連結部材５１と重なる領域及びその周辺において透過性を有する。そのため、使用者は、連結部材５１及び凸部ｇ１を視認することができ、連結部材５１を凹部４４の位置を示すマーカー部として利用することで、凹部４４を凸部ｇ１に容易に位置合わせできる。
【００５２】
図２Ａ及び図２Ｂに示すように、収納部材５３は、第１押圧部材４０の移動方向ｄ１に沿って延在している。
【００５３】
図２Ａに示すように、収納部材５３は、移動方向ｄ１に沿って延在するとともに、第１拡張部材４１の厚み方向ｄ３において離間する上板部５３ａ及び下板部５３ｂと、上板部５３ａ及び下板部５３ｂの移動方向ｄ１（長手方向）における両端部に連なる側板部５３ｃ、５３ｄと、を有する。上板部５３ａ、下板部５３ｂ、及び、側板部５３ｃ、５３ｄは、第１移動部材５４及び第２移動部材５５が移動可能な収納空間５２を形成する。
【００５４】
下板部５３ｂは、第１移動部材５４の一部及び第２移動部材５５の一部を挿入可能な溝部５３ｅを有している。下板部５３ｂの溝部５３ｅは、移動方向ｄ１に沿って延在している。また、上板部５３ａは、下板部５３ｂと同様に、第１移動部材５４の一部及び第２移動部材５５の一部を挿入可能な溝部（図示省略）を有している。上板部５３ａの溝部は、下板部５３ｂの溝部５３ｅと同様に、移動方向ｄ１に沿って延在している。そのため、収納部材５３は、第１移動部材５４の及び第２移動部材５５が移動方向ｄ１と交差する方向ｄ２に位置ずれすることを抑制できる。
【００５５】
収納部材５３は、第１拡張部材４１が支持部材５０に対して相対的に移動可能な第１形態（図８Ｂ参照）と、第１拡張部材４１が支持部材５０に対して相対的に移動できない第２形態（図８Ａ参照）とを有している。収納部材５３は、第１拡張部材４１が拡張した際、第２形態から第１形態に移行する。
【００５６】
そのため、使用者は、収納部材５３が第１形態にあり、第１押圧部材４０が支持部材５０に対して相対的に移動できない状態で、第１押圧部材４０の穿刺部位ｔや凸部ｇ１への位置合わせや装着等の作業を行うことができる。そのため、使用者は、患者の手Ｈに止血器具１０を簡便に装着することができる。また、第１押圧部材４０が拡張した際、支持部材５０は第２形態に移行するため、止血中は、凸部ｇ１の動きに合わせて第１押圧部材４０が支持部材５０に対して相対的に移動できる。
【００５７】
図８Ａに示すように、収納部材５３は、第２形態において、収納部材５３の第１形態と比較して収納空間５２が屈曲する屈曲部５７を有している。連結部材５１の一部は、支持部材５０の第２形態において、屈曲部５７に配置される。本実施形態では、第１移動部材５４及び第２移動部材５５は、屈曲部５７を挟み込むように配置される。そのため、収納部材５３の第２形態において、第１押圧部材４０は、支持部材５０に対して相対的に移動できない。このように、第１形態と第２形態の移行が支持部材５０の収納空間５２の形状と連結部材５１の位置関係により制御できるため、第１形態と第２形態の移行を簡便に制御できる。
【００５８】
図８Ｂに示すように、第１拡張部材４１が拡張した際、収納部材５３は第１形態に移行する。より具体的には、第１拡張部材４１の拡張時の形状に倣って、収納空間５２は、収納部材５３の第２形態と比較して平坦になる。そのため、収納部材５３の第１形態において、第１移動部材５４及び第２移動部材５５は収納空間５２において移動できる。したがって、第１移動部材５４及び第２移動部材５５に連結されている第１押圧部材４０は、収納部材５３の第１形態において、支持部材５０に対して相対的に移動できる。
【００５９】
図２Ｃに示すように、収納部材５３の上板部５３ａは、スリット５８を有する。収納部材５３の下板部５３ｂは、スリット５８と対向する位置に屈曲誘導部５９を有する。屈曲誘導部５９は、特に限定されないが、例えば、溝部や、予め下板部５３ｂを屈曲させることによって形成した折れ目等によって構成できる。なお、図２Ａ、図２Ｃ、及び図８Ｂ等では、屈曲誘導部５９が溝部によって構成されている例を示している。このように収納部材５３はスリット５８及び屈曲誘導部５９を有するため、収納部材５３は、図８Ａに示すように、収納部材５３の第２形態において、容易に屈曲部５７を形成できる。
【００６０】
収納部材５３は、第１拡張部材４１及び後述する第２拡張部材６２よりも硬度が高く、かつ、屈曲部５７を形成できる程度に柔軟な材料によって構成することが好ましい。そのような材料としては、特に限定されないが、例えば、アクリル樹脂、ポリ塩化ビニル、ポリエチレン、ポリプロピレン、ポリブタジエンのようなポリオレフィン、ポリスチレン、ポリ−（４−メチルペンテン−１）、ポリカーボネート、ＡＢＳ樹脂、ポリメチルメタクリレート（ＰＭＭＡ）、ポリアセタール、ポリアクリレート、ポリアクリロニトリル、ポリフッ化ビニリデン、アイオノマー、アクリロニトリル−ブタジエン−スチレン共重合体、ポリエチレンテレフタレート（ＰＥＴ）、ポリブチレンテレフタレート（ＰＢＴ）のようなポリエステル、ブタジエン−スチレン共重合体、芳香族または脂肪族ポリアミド、ポリテトラフルオロエチレン等のフッ素系樹脂、シリコーン、ポリウレタン、ポリアミドエラストマー、ポリウレタンエラストマー、ポリエステルエラストマー等の各種熱可塑性エラストマー、あるいはこれらを任意に組み合わせたもの（ブレンド樹脂、ポリマーアロイ、積層体等）が挙げられる。収納部材５３を第１拡張部材４１及び後述する第２拡張部材６２よりも硬度が高い材料によって構成することによって、収納部材５３は、拡張した第１拡張部材４１と第２拡張部材６２とに挟まれた状態において、収納空間５２を維持することができる。また、収納部材５３は、第１拡張部材４１よりも硬度が高い材料によって構成される場合、第１拡張部材４１を支持し、穿刺部位ｔを適切に圧迫することができる。
【００６１】
（第２押圧部材）
図３に示すように、第２押圧部材６０は、流体の流入及び流出により拡張及び収縮が可能な第２拡張部材６２を有する。
【００６２】
図８Ａ及び図８Ｂに示すように、第２拡張部材６２は、流体が流入する内部空間６２ａを有する。
【００６３】
図１Ｂに示すように、第２拡張部材６２は、被覆部２０の内側に配置されている。第２拡張部材６２は、被覆部２０の袋体２１の第１開口部２３ａの付近に配置されている。
【００６４】
図３に示すように、第２拡張部材６２は、本実施形態では、親指ｆ１を挿通可能な貫通部６１を有する。図１Ｂに示すように、貫通部６１には、第１押圧部材４０及び支持部材５０が配置されている。そのため、第２拡張部材６２は、第１押圧部材４０及び支持部材５０を覆い、第１押圧部材４０及び支持部材５０が穿刺部位ｔから離間すること（第１押圧部材４０の浮き上がり）を抑制し、第１押圧部材４０による穿刺部位ｔへの圧迫力を穿刺部位ｔに対し適切に作用させることができる。また、第２押圧部材６０は、拡張時に穿刺部位ｔと対向する母指球等の掌側も固定できるため、第１押圧部材４０を穿刺部位ｔに適切に固定することができる。
【００６５】
第２拡張部材６２は、特に限定されないが、例えば、第１拡張部材４１の材料と同様の材料によって形成できる。
【００６６】
（注入部材）
第１注入部材４２は、流体を第１拡張部材４１に注入可能に構成している。
【００６７】
図２Ａに示すように、第１注入部材４２は、可撓性を有するとともに第１拡張部材４１に接続されたチューブ４２ａと、チューブ４２ａに接続される袋体４２ｂと、袋体４２ｂに接続された管状のコネクタ４２ｃと、を有している。チューブ４２ａの内腔は、第１拡張部材４１の内部空間４１ａに連通している。袋体４２ｂの内部空間は、チューブ４２ａの内腔に連通している。コネクタ４２ｃは、袋体４２ｂ内への流体の注入を許容するとともに、袋体４２ｂ内の流体の漏出を抑制する逆止弁（図示せず）を有する。
【００６８】
シリンジ（図示せず）の先筒部がコネクタ４２ｃに挿入されることによって、逆止弁が開く。この状態でシリンジの押し子が押されることにより、シリンジ内の流体が、第１拡張部材４１内に注入される。これによって第１拡張部材４１が拡張する。第１拡張部材４１が拡張することによって、チューブ４２ａを介して第１拡張部材４１と連通している袋体４２ｂが、膨張する。そのため、第１注入部材４２は、流体を漏出させずに、第１拡張部材４１を加圧できていることを使用者に目視で確認させることができる。第１拡張部材４１内に流体を注入した後、コネクタ４２ｃからシリンジの先筒部が抜去されることによって、逆止弁が閉じて流体の漏出が抑制される。
【００６９】
第２注入部材６３は、第２拡張部材６２に流体可能に構成している。
【００７０】
図３に示すように、第２注入部材６３は、可撓性を有するとともに第２拡張部材６２に接続されたチューブ６３ａと、チューブ６３ａに接続される袋体６３ｂと、袋体６３ｂに接続された管状のコネクタ６３ｃと、を有している。チューブ６３ａの内腔は、第２拡張部材６２の内部空間６２ａと連通している。袋体６３ｂの内部空間は、チューブ６３ａの内腔に連通している。コネクタ６３ｃは、袋体６３ｂ内への流体の注入を許容するとともに、袋体６３ｂ内の流体の漏出を抑制する逆止弁（図示せず）を有する。
【００７１】
シリンジ（図示せず）の先筒部がコネクタ６３ｃに挿入されることによって、逆止弁が開く。この状態でシリンジの押し子が押されることにより、シリンジ内の流体が、第２拡張部材６２内に注入される。これによって第２拡張部材６２が拡張する。第２拡張部材６２が拡張することによって、チューブ６３ａを介して第２拡張部材６２と連通している袋体６３ｂも膨張する。そのため、第２注入部材６３は、流体を漏らさずに、第２拡張部材６２を加圧できていることを使用者に目視で確認させることができる。第２拡張部材６２内に流体を注入した後、コネクタ６３ｃからシリンジの先筒部が抜去されると、逆止弁が閉じて気体の漏出が抑制される。
【００７２】
［使用例］
次に、図４〜図８Ｂを参照して、止血器具１０の使用例を説明する。
【００７３】
使用者は、止血を開始するに際し、図４及び図５に示すように、被覆部２０のスリット２５を広げた状態で、患者の手Ｈを第６開口部２４から挿入する。
【００７４】
次に、使用者は、図８Ａに示すように、第１押圧部材４０の凹部４４を手Ｈの外表面に形成される凸部ｇ１に位置合わせする。この際、使用者は、連結部材５１を凹部４４の位置を示すマーカー部として利用できる。また、使用者は、第１押圧部材４０を穿刺部位ｔに位置合わせする。この際、使用者は、穿刺部位ｔへの第１押圧部材４０の位置合わせに、マーカー部４３を利用できる。
【００７５】
凸部ｇ１及び穿刺部位ｔへの第１押圧部材４０の位置合わせの際、支持部材５０の収納部材５３は、第２形態であり、第１押圧部材４０は支持部材５０に対して相対的に移動できない。これによって、位置合わせの際に第１押圧部材４０が不用意に移動するのを防止できるため、使用者は、患者の手Ｈに容易に止血器具１０を簡便に装着できる。
【００７６】
次に、使用者は、図６に示すように、被覆部２０の連結部２６の第１部材２６ａと第２部材２６ｂとを接続する。
【００７７】
次に、使用者は、第１押圧部材４０の第１注入部材４２にシリンジの先筒部（図示省略）を挿入して、第１押圧部材４０の第１拡張部材４１を拡張させる。これによって、図８Ｂに示すように、第１拡張部材４１は、穿刺部位ｔに向かって圧迫力を付与する。この際、支持部材５０は、第２形態から第１形態に移行する。そのため、第１押圧部材４０は、支持部材５０に対して相対的に移動できる。
【００７８】
次に、使用者は、穿刺部位ｔに対して第１押圧部材４０の第１拡張部材４１が圧迫力を付与した状態を維持しながら、第２押圧部材６０の第２注入部材６３にシリンジの先筒部（図示省略）を挿入して、第２押圧部材６０の第２拡張部材６２を拡張させる。この際、使用者は、第１拡張部材４１を穿刺部位ｔに対して仮留めできる程度に第２拡張部材６２を拡張させる。ここで仮留めできる程度とは、例えば、後述するイントロデューサーのシースチューブ等の医療用長尺体Ｓを穿刺部位ｔから抜去する工程等において、医療用長尺体Ｓの抜去に支障がなく、かつ、第１拡張部材４１の穿刺部位ｔに対する位置ずれを抑制できる程度を意味する。
【００７９】
次に、使用者は、図７に示すように、イントロデューサーのシースチューブ等の医療用長尺体Ｓを穿刺部位ｔから抜去する。
【００８０】
次に、使用者は、図８Ｂに示すように、第２押圧部材６０の第２拡張部材６２をさらに拡張させる。この際、使用者は、第１拡張部材４１が穿刺部位ｔに対して適切に圧迫力を付与できる程度に第２拡張部材６２を拡張させる。このように、第２拡張部材６２は、医療用長尺体Ｓを穿刺部位ｔから抜去した後の、穿刺部位ｔへの圧迫力を調整するために使用できる。また、第２押圧部材６０は、第１押圧部材４０及び支持部材５０を覆い、第１押圧部材４０及び支持部材５０が穿刺部位ｔから離間すること（第１押圧部材４０の浮き上がり）を抑制し、第１押圧部材４０による穿刺部位ｔへの圧迫力を穿刺部位ｔに対し適切に作用させることができる。また、第２押圧部材６０は、拡張時に穿刺部位ｔと対向する掌側も固定できるため、第１押圧部材４０を穿刺部位ｔに適切に固定することができる。
【００８１】
使用者は、止血の進行具合や経過時間に応じて第１押圧部材４０の第１拡張部材４１及び第２押圧部材６０の第２拡張部材６２への流体の注入量を調整することによって、押圧部３０の穿刺部位ｔへの圧迫力を調整してもよい。
【００８２】
止血中、仮に、患者が手を広げたり、手を握ったりして、手の形状が変化したとしても、凸部ｇ１の動きに合わせて第１押圧部材４０のみが動く。そのため、止血器具１０は、患者の手Ｈの可動時においても、穿刺部位ｔに対する第１押圧部材４０の位置ずれを防止できる。したがって、止血器具１０は、手Ｈの動き等が生じた場合であっても、穿刺部位ｔへの圧迫を適切に維持できる。
【００８３】
使用者は、止血が完了したら、第１押圧部材４０の第１拡張部材４１及び第２押圧部材６０の第２拡張部材６２を収縮させた後、第１部材２６ａと第２部材２６ｂとの接続を解除して、止血器具１０を手Ｈから取り外す。なお、止血器具１０を取り外す際に、第１押圧部材４０の第１拡張部材４１及び第２押圧部材６０の第２拡張部材６２を収縮させなくてもよい。
【００８４】
以上、止血器具１０の使用例を説明したが、止血器具１０の使用方法は上記に限定されない。例えば、止血器具１０は、イントロデューサーのシースチューブ等の医療用長尺体Ｓを穿刺部位ｔから抜去した後に、手Ｈに取り付けられてもよい。
【００８５】
[作用]
以上のように、本実施形態に係る止血器具１０は、手Ｈの穿刺部位ｔに配置される被覆部２０と、被覆部２０の内側に配置される押圧部３０と、を有している。押圧部３０は、穿刺部位ｔを押圧する第１押圧部材４０と、被覆部２０と第１押圧部材４０との間に位置する支持部材５０と、を有している。第１押圧部材４０は、手Ｈの外表面に形成される凸部ｇ１に配置可能な凹部４４を有している。第１押圧部材４０は、第１押圧部材４０が穿刺部位ｔを押圧している状態で、支持部材５０と接続しつつ、支持部材５０に対して相対的に移動可能である。
【００８６】
上記止血器具１０によれば、第１押圧部材４０は、凹部４４が手Ｈの外表面に形成される凸部ｇ１に配置された状態で、手Ｈの穿刺部位ｔを押圧する。また、上記止血器具１０によれば、第１押圧部材４０の動きは、第１押圧部材４０が支持部材５０に対して相対的に移動可能であるため、支持部材５０及び被覆部２０に伝達しにくい。このため、上記止血器具１０では、仮に手Ｈの動き等が生じても、手Ｈの外表面に形成された凸部ｇ１の動きに合わせて第１押圧部材４１のみが動く。そのため、上記止血器具１０は、止血を行っている最中に患者の手Ｈの動き等が生じた場合であっても、第１押圧部材４０の穿刺部位ｔに対する位置ずれを抑制できる。したがって、上記止血器具１０は、手Ｈの動き等が生じた場合であっても、穿刺部位ｔへの圧迫を適切に維持できる。
【００８７】
また、凹部４４は、第１押圧部材４０の移動方向ｄ１と交差する方向ｄ２に沿って形成されている。そのため、第１押圧部材４０は、腱等の一の方向に沿って延在する凸部ｇ１に凹部４４が配置された状態を好適に維持し、患者が指を左右に動かしたり、又は、患者が手Ｈを広げたり閉じたりすることによって凸部ｇ１が凸部ｇ１の延在方向と交差する方向に可動するのに追従して移動できる。
【００８８】
また、押圧部３０は、手Ｈの親指ｆ１を挿入可能な貫通部６１を備えるとともに手Ｈの体表を押圧する第２押圧部材６０をさらに有する。第１押圧部材４０及び支持部材５０は、貫通部６１に位置している。第２押圧部材６０は、被覆部２０の内側に位置するとともに流体の流入及び流出によって拡張及び収縮が可能である。そのため、第２押圧部材６０は、第１押圧部材４０及び支持部材５０を覆い、第１押圧部材４０及び支持部材５０が穿刺部位ｔから離間すること（第１押圧部材４０の浮き上がり）を抑制し、第１押圧部材４０による穿刺部位ｔへの圧迫力を穿刺部位ｔに対し適切に作用させることができる。また、第２押圧部材６０は、拡張時に穿刺部位ｔと対向する掌側も固定できるため、第１押圧部材４０を穿刺部位ｔに適切に固定することができる。
【００８９】
また、第１押圧部材４０は、流体の流入及び流出によって拡張及び収縮が可能である。支持部材５０は、第１押圧部材４０が支持部材５０に対して相対的に移動可能な第１形態と、第１押圧部材４０が支持部材５０に対して相対的に移動できない第２形態とを有している。支持部材５０は、第１押圧部材が拡張した際、第２形態から第１形態に移行する。そのため、第１形態では、第１押圧部材４０が支持部材５０に対して相対的に移動することを防止できるため、患者に止血器具を簡便に装着することができる。また、第１押圧部材４０が拡張した際、支持部材５０は第２形態に移行するため、止血中は、凸部ｇ１の動きに合わせて第１押圧部材４０が支持部材５０に対して相対的に移動できる。
【００９０】
また、支持部材５０は、第１押圧部材４０に連結する連結部材５１と、連結部材５１の一部が移動可能な収納空間５２と、を有している。支持部材５０の第２形態は、支持部材５０の第１形態と比較して収納空間５２が屈曲する屈曲部５７を有している。連結部材５１の一部は、支持部材５０の第２形態において、屈曲部５７に配置される。第１形態と第２形態の移行が支持部材５０の収納空間５２の形状と連結部材５１の位置関係により制御できるため、第１形態と第２形態の移行を簡便に制御できる。
【００９１】
連結部材５１は、収納空間５２において移動可能な第１移動部材５４と、第１移動部材５４から離間するとともに収納空間５２において移動可能な第２移動部材５５と、第１移動部材５４及び第２移動部材５５と第１押圧部材４０とに接続された接続部材５６と、を有している。第１移動部材５４及び第２移動部材５５は、支持部材５０の第２形態において、屈曲部５７を挟み込むように配置される。そのため、第１移動部材５４及び第２移動部材５５が屈曲部５７に引っ掛かるため、支持部材５０は、第２形態において第１押圧部材４０が移動するのを好適に防止できる。
【００９２】
また、第１押圧部材４０は、凹部４４の位置を示すマーカー部（連結部材５１）を有し、被覆部２０及び押圧部３０は、平面視において少なくともマーカー部（連結部材５１）と重なる領域およびその周辺において透過性を有する。そのため、使用者は、マーカー部（連結部材５１）によって、凹部４４を手Ｈの外表面に形成された凸部ｇ１に容易に位置合わせできる。
【００９３】
また、凹部４４は、平面視において第１押圧部材４０の中央から離間した位置に形成されている。そのため、第１押圧部材４０は、凹部４４が手Ｈの外表面に形成される凸部ｇ１に配置された状態を維持しつつ、凸部ｇ１から離間する穿刺部位ｔを十分に押圧することができる。
【００９４】
以上、実施形態を通じて本発明に係る止血器具を説明したが、本発明は明細書において説明した内容のみに限定されるものでなく、特許請求の範囲の記載に基づいて適宜変更することが可能である。
【００９５】
例えば、上記実施形態では、左手の甲に形成した穿刺部位を止血するための止血器具を例示したが、本発明に係る止血器具は、右手の甲に形成された穿刺部位を止血する器具として構成してもよい。
【００９６】
また、例えば、上記実施形態では、凹部が配置される手の凸部が、スナッフボックス周辺の長母指伸筋の腱及びその周辺組織（凸部ｇ１）である例を説明した。しかし、凹部が配置される手の凸部は、スナッフボックス周辺の短母指伸筋の腱及びその周辺組織（凸部ｇ２）であってもよい。
【００９７】
また、例えば、上記実施形態では、第１押圧部材４０及び第２押圧部材６０に注入部材４２、６３が設けられている形態を説明したが、第１押圧部材及び第２押圧部材には注入部材４２、６３が設けられていなくてもよい。１押圧部材及び第２押圧部材に注入部材が設けられていない場合、例えば、第１押圧部材及び第２押圧部材は、止血に使用される前の製造段階で、予め所定の大きさまで拡張した状態で準備することができる。
【００９８】
また、例えば、上記実施形態では、第１押圧部材４０が第１拡張部材４１を有する例を説明した。しかし、第１押圧部材の構成は、手の外表面に形成される凸部に配置可能な凹部が形成されるとともに止血すべき部位を押圧する限り特に限定されない。第１押圧部材は、例えば、面圧を付与するように手に対して押し込まれるプラスチック等の樹脂材料やゲル等で構成された部材、時間経過に応じて含水率が低下して圧迫力を徐々に減少させるゲルを含む部材、スポンジ状の物質等の弾性材料、綿（わた）のような繊維の集合体、金属、所定の立体形状を備える部材（球状、楕円体、三角錐等）、これらを適宜組み合わせたもの等で構成することも可能である。
【００９９】
また、例えば、上記実施形態では、止血器具１０が第１押圧部材４０及び第２押圧部材６０の両方を有する例を説明したが、止血器具１０は、第２押圧部材６０を有してしなくてもよい。
【０１００】
また、例えば、上記実施形態では、支持部材が第１形態と第２形態とを有する例を説明したが、支持部材は、第２形態を有していなくてもよい。支持部材が第２形態を有していない場合、連結部材は屈曲部を有していなくてもよい。また、支持部材が第２形態を有していない場合、連結部材が備える移動部材の数は一つであってもよい。なお、支持部材が第２形態を有していない場合、穿刺部位および手の外表面の凸部への位置合わせの際に、第１押圧部材４０が移動し得る。そのため、この場合は、被覆部２０及び押圧部３０は、平面視において少なくともマーカー部４３の移動可能範囲および凹部４４の位置を示すマーカー（連結部材５１）の移動可能範囲において透過性を有することが好ましい。
【０１０１】
また、例えば、上記実施形態では、支持部材５０が収納空間５２と、収納空間５２を形成する収納部材５３と、を有する例を説明した。しかし支持部材の構成は、第１押圧部材を移動可能に支持する限り特に限定されない。例えば、支持部材は、第１押圧部材が接続されるとともに第１移動部材が移動可能なレール等によって構成してもよい。
【０１０２】
また、例えば、上記実施形態では、連結部材５１が凹部４４の位置を示すマーカー部として機能する例を説明した。しかし、凹部の位置を示すマーカー部は、必ずしも連結部材によって構成する必要はない。例えば、凹部の位置を示すマーカー部は、穿刺部位への位置合わせ用のマーカー部４３と同様に構成してもよい。
【符号の説明】
【０１０３】
１０    止血器具、
２０    被覆部、
３０    押圧部、
４０    第１押圧部材（押圧部材に相当）、
４４    凹部、
５０    支持部材、
５１    連結部材（凹部の位置を示すマーカー部に相当）、
５２    収納空間、
５４    第１移動部材、
５５    第２移動部材、
５６    接続部材、
５７    屈曲部、
６０    第２押圧部材（他の押圧部材に相当）、
６１    貫通部、
Ｈ      手、
ｄ１    移動方向、
ｄ２    移動方向と交差する方向、
ｆ１〜ｆ５  指、
ｇ１    手の体表面に形成される凸部、
ｔ      穿刺部位（止血すべき部位に相当）。
【図１Ａ】
2020022679.tif 000003
【図１Ｂ】
2020022679.tif 000004
【図２Ａ】
2020022679.tif 000005
【図２Ｂ】
2020022679.tif 000006
【図２Ｃ】
2020022679.tif 000007
【図３】
2020022679.tif 000008
【図４】
2020022679.tif 000009
【図５】
2020022679.tif 000010
【図６】
2020022679.tif 000011
【図７】
2020022679.tif 000012
【図８Ａ】
2020022679.tif 000013
【図８Ｂ】
2020022679.tif 000014